(57)【要約】【課題】既製品である液晶パネルを固定枠に対してネジ止めする際に、固定枠のたわみ量を抑制することのできるパネルユニットを得る。【解決手段】本発明に係るパネルユニット（１０）は、取付用ネジ穴が側面に設けられた液晶パネル（３１）と、液晶パネルが取り付けられる固定枠（１１）と、穴方向が互いに直交する液晶パネル取付穴（４１ａ）および固定枠取付穴（４２ａ、４２ｂ）を有するアダプター（４０）と、を備え、アダプターは、液晶パネル取付穴に通されたネジにより液晶パネルの取付用ネジ穴に締着固定され、固定枠取付穴に通されたネジにより固定枠に締着固定される。【選択図】図４
2020008801.tif 000002
【特許請求の範囲】
【請求項１】
取付用ネジ穴が側面に設けられた液晶パネルと、
前記液晶パネルが取り付けられる固定枠と、
穴方向が互いに直交する液晶パネル取付穴および固定枠取付穴を有するアダプターと、
を備え、
前記アダプターは、前記液晶パネル取付穴に通されたネジにより前記液晶パネルの前記取付用ネジ穴に締着固定され、前記固定枠取付穴に通されたネジにより前記固定枠に締着固定される
パネルユニット。
【請求項２】
前記アダプターは、
前記液晶パネル取付穴が設けられた第１面と、前記固定枠取付穴が設けられた第２面とを有し、
第１面と第２面とは、長手方向における断面がＬ字形状を有するように形成されており、
前記第２面が前記液晶パネルの背面側に位置するように、前記液晶パネルの前記取付用ネジ穴に締着固定される
請求項１に記載のパネルユニット。
【発明の詳細な説明】
【技術分野】
【０００１】
この発明は、既製品である液晶パネルが取り付けられたパネルユニットに関する。
【背景技術】
【０００２】
火災受信機、消火システム制御盤等には、液晶パネルが搭載されたパネルユニットが扉に取り付けられている。このようなパネルユニットの取付方法の一例としては、筐体に設けた開口部に対して、パネルユニットを、筐体の正面側から嵌め込むようにして取り付けたものがある（例えば、特許文献１参照）。
【０００３】
パネルユニットに用いられる既製品の液晶パネルは、側面に取付用ネジ穴を有している。このネジ穴をそのまま使用することで、パネルユニットの固定枠に対して、液晶パネルを取り付けることができる。
【先行技術文献】
【特許文献】
【０００４】
【特許文献１】特開平７−２７４３１７号公報
【発明の概要】
【発明が解決しようとする課題】
【０００５】
しかしながら、既製品である液晶パネルに標準装備されているネジ穴をそのまま使用して液晶パネルを固定枠に取り付ける際にネジを締め付けると、固定枠の中心に向けて力が加わり、固定枠がたわむ問題がある。特に、液晶パネルのサイズが大きくなった場合には、この固定枠がたわむ問題がより顕著となり、たわみ量を改善することが望まれている。
【０００６】
本発明は、このような問題を解決するためになされたものであり、既製品である液晶パネルを固定枠に対してネジ止めする際に、固定枠のたわみ量を抑制することのできるパネルユニットを得ることを目的とする。
【課題を解決するための手段】
【０００７】
上記の課題を解決するために、本発明に係るパネルユニットは、取付用ネジ穴が側面に設けられた液晶パネルと、液晶パネルが取り付けられる固定枠と、穴方向が互いに直交する液晶パネル取付穴および固定枠取付穴を有するアダプターと、を備え、アダプターは、液晶パネル取付穴に通されたネジにより液晶パネルの取付用ネジ穴に締着固定され、固定枠取付穴に通されたネジにより固定枠に締着固定されるものである。
【発明の効果】
【０００８】
この発明によれば、液晶パネルを固定枠に取り付ける際に、アダプターを介在させる構成を有している。この結果、既製品である液晶パネルを固定枠に対してネジ止めする際に、固定枠のたわみ量を抑制することのできるパネルユニットを得ることができる。
【図面の簡単な説明】
【０００９】
【図１】本発明の実施の形態１に係るパネルユニットを、火災受信機に適用した場合の全体構成図である。
【図２】本発明の実施の形態１に係るパネルユニットにおいて、液晶パネルを固定枠に取り付けるために用いられるアダプターの形状を示す説明図である。
【図３】本発明の実施の形態１に係るパネルユニットにおいて、液晶パネルの左右に、アダプターを取り付ける様子を示した説明図である。
【図４】本発明の実施の形態１に係るパネルユニットにおいて、アダプターが取り付けられた液晶パネルを、固定枠に対して締着固定する様子を示した説明図である。
【発明を実施するための形態】
【００１０】
以下、本発明のパネルユニットの好適な実施の形態につき、図面を用いて説明する。なお、以下の説明では、本発明に係るパネルユニットを、火災受信機に適用する場合を具体例として、詳細に説明する。
【００１１】
実施の形態１．
図１は、本発明の実施の形態１に係るパネルユニットを、火災受信機に適用した場合の全体構成図である。図１に示すように、火災受信機１は、内部に制御機器等が収納される本体２と、本体２の正面側に開閉可能に取り付けられる扉３とを有している。扉３には開口部３ａが形成される。扉３の開口部３ａには、パネルユニット１０が取り付けられる。
【００１２】
パネルユニット１０は、固定枠１１に対して、操作部２０および表示部３０が設けられて構成されている。ここで、表示部３０は、長方形状の表示画面部に相当する液晶パネル３１と、液晶パネル３１の外周の四辺に亘って設けられる帯状のフランジ３２とを有する。液晶パネル３１は、火災関連情報等を表示する液晶画面を有しており、この液晶パネル３１としては既製品が用いられる。
【００１３】
また、操作部２０は、表示部３０の下に一体的に設けられている。操作部２０には、使用者が液晶パネル３１の表示内容を見ながら操作することが可能なタッチキー（図示せず）が設けられている。
【００１４】
なお、以下の説明において、火災受信機１の本体２に対してパネルユニット１０が取り付けられている側を正面側Ｘ１とし、正面側Ｘ１の反対側を裏面側Ｘ２とする。
【００１５】
本実施の形態１に係るパネルユニット１０は、液晶パネル３１の側面に標準装備されたネジ穴を利用して、固定枠１１の背面側から液晶パネル３１を取付可能とするアダプターを用いることで、固定枠１１のたわみ量を抑制することを技術的特徴としている。そこで、この技術的特徴に関する具体的な構成について、図２〜図４を用いて詳細に説明する。
【００１６】
図２は、本発明の実施の形態１に係るパネルユニット１０において、液晶パネル３１を固定枠１１に取り付けるために用いられるアダプター４０の形状を示す説明図である。図２（ａ）は、アダプター４０の正面図、図２（ｂ）は、アダプター４０の上面図、図２（ｃ）は、アダプター４０の側面図をそれぞれ示している。
【００１７】
また、図３は、本発明の実施の形態１に係るパネルユニット１０において、液晶パネル３１の左右に、アダプター４０を取り付ける様子を示した説明図である。なお、図３において、液晶パネル３１は、裏面側から見た状態が図示されており、液晶パネル３１の表示画面は、正面側Ｘ１を向いていることとなる。
【００１８】
図２に示すように、アダプター４０は、第１面４１と第２面４２が長手方向において互いに直交するように構成されている。すなわち、アダプター４０は、長手方向における断面がＬ字形状を有している。ここで、第１面４１は、液晶パネル３１の側面と対向し、側面に取り付けられる面であり、穴４１ａが設けられている。そして、穴４１ａに通されたネジにより、液晶パネル３１に対してアダプター４０を締着固定することができる。
【００１９】
一方、第２面４２は、液晶パネル３１の側面と直交する方向の面であり、穴４２ａ、４２ｂが設けられている。そして、穴４２ａおよび穴４２ｂに通されたネジにより、液晶パネル３１に取り付けられた状態のアダプター４０を、裏面側Ｘ２から正面側Ｘ１に向けて、固定枠１１に対して締着固定することができる。なお、第２面４２は、図２および図３に示すように、穴４２ａが個別に設けられた両端部分と、穴４２ｂが設けられた中央部分とで３分割された構成とすることができる。
【００２０】
このように、第１面４１に設けられた液晶パネル取付穴に相当する穴４１ａと、第２面４２に設けられた固定枠取付穴に相当する穴４２ａ、４２ｂとは、穴方向が互いに直交する構成となっている。
【００２１】
図３に示すように、既製品である液晶パネル３１は、側面部に固定用のネジ穴３１ａが設けられている。アダプター４０を用いない従来の取付方法においては、この標準装備されているネジ穴３１ａをそのまま用いて、液晶パネル３１の外側から中心方向に向けてネジを締め付けることで、固定枠１１と液晶パネル３１とを締着固定していた。しかしながら、このような従来の取付方法では、固定枠１１の中心に向けて力が加わってしまい、固定枠１１がたわんでしまうおそれがあった。
【００２２】
これに対して、本実施の形態１では、アダプター４０を介在させて、固定枠１１と液晶パネル３１とを締着固定できる構成としている。具体的には、図３に示したように、液晶パネル３１の側面のネジ穴３１ａと対向する位置に設けられた穴４１ａを用いることで、液晶パネル３１の両側面に、アダプター４０をネジにより締着固定することができる。
【００２３】
さらに、液晶パネル３１の両側面に取り付けられたアダプター４０の第２面４２に設けられた穴４２ａ、４２ｂを用いることで、固定枠１１の裏面側から、液晶パネル３１の表示面が正面側Ｘ１を向くように、アダプター４０をネジにより締着固定することができる。
【００２４】
なお、液晶パネル３１の側面にあるネジ穴３１ａは、左側面と右側面とで異なる位置関係に配置されている。そこで、左右で用いるアダプター４０を共用化するために、液晶パネル３１の側面にあるネジ穴３１ａが片側に２箇所設けられているのに対し、穴４１ａは、１つのアダプター４０に対して４箇所に設けられている。
【００２５】
図４は、本発明の実施の形態１に係るパネルユニット１０において、アダプター４０が取り付けられた液晶パネル３１を、固定枠１１に対して締着固定する様子を示した説明図である。なお、図４においては、固定枠１１の裏面側から、表示面が正面側Ｘ１を向くように液晶パネル３１に取り付ける様子を示している。
【００２６】
固定枠１１の裏面側には、左右それぞれに、２つのネジ穴１２ａおよび１つのネジ穴１２ｂが設けられている。ここで、２つのネジ穴１２ａは、アダプター４０の両端に設けられたそれぞれの穴４２ａと対向する位置に配置されている。また、ネジ穴１２ｂは、アダプター４０の中央に設けられた穴４２ｂと対向する位置に配置されている。
【００２７】
したがって、アダプター４０に設けられた２つの穴４２ａ及び１つの穴４２ｂを用いることで、既製品である液晶パネル３１を、裏面側Ｘ２から正面側Ｘ１に向かう方向で、固定枠１１に対してネジにより締着固定することができる。この結果、従来の取付方法で生じていた固定枠１１のたわみを抑制することができる。
【００２８】
なお、固定枠１１に設けるネジ穴１２ａ、１２ｂの位置、およびアダプター４０に設ける穴４２ａ、４２ｂの位置は、図４における液晶パネル３１の左下を基準として設計することができる。このように、四隅のうちの一隅を、液晶パネル３１と固定枠１１との位置決めの基準とすることで、液晶パネル３１および固定枠１１の製品誤差による位置ずれを容易に解消することができる。
【００２９】
なお、Ｌ字形状を有するアダプター４０は、図３および図４に示したように、第２面４２が裏面側Ｘ２に位置するように、液晶パネル３１に取り付けられる。また、固定枠１１に液晶パネル３１が取り付けられたパネルユニット１０は、固定枠１１に設けられた穴部１３を用いて、扉３の開口部３ａに対して、裏面側Ｘ２から取り付けることができる。この結果、ゆがみのない状態の固定枠１１を有するパネルユニット１０を、扉３の開口部３ａに取り付けることが可能となる。
【００３０】
なお、扉３の裏面側において、開口部３ａの周囲に干渉部材を設けることができる。このような干渉部材を設けることで、パネルユニット１０の周囲と、扉３の開口部３ａの周囲との間に干渉部材を挟むことができ、扉３に対するパネルユニット１０の奥行き方向の位置調整が容易になる。
【００３１】
以上のように、実施の形態１によれば、アダプターを用いて液晶パネルを固定枠に固定することで、既製品の液晶パネルの側面に設けられた取付用ネジ穴を使用した上で、裏面側から正面側に向かって液晶パネルをネジにより締着固定することが可能となる。この結果、固定枠のたわみ量を抑制することができる。
【符号の説明】
【００３２】
１  火災受信機、２  本体、３  扉、３ａ  開口部、１０  パネルユニット、１１  固定枠、１２ａ  ネジ穴、１２ｂ  ネジ穴、１３  穴部、２０  操作部、３０  表示部、３１  液晶パネル、３１ａ  ネジ穴（取付用ネジ穴）、３２  フランジ、４０  アダプター、４１  第１面、４１ａ  穴（液晶パネル取付穴）、４２  第２面、４２ａ、４２ｂ  穴（固定枠取付穴）、Ｘ１  正面側、Ｘ２  裏面側。
【図１】
2020008801.tif 000003
【図２】
2020008801.tif 000004
【図３】
2020008801.tif 000005
【図４】
2020008801.tif 000006